(57)【要約】【課題】郵便受けユニットと宅配便受けユニットを組み合わせ、外観が優れるとともに、集合住宅の共同玄関に適した受けセットを提供する。【解決手段】集合住宅の共同玄関に設置され、複数の郵便受け１１からなる郵便受けユニット１Ａ、１Ｂと複数の宅配便受けからなる宅配便受けユニット２Ａ、２Ｂと収納ボックスとからなる受けセットであって、上記郵便受けユニット１Ａ、１Ｂと宅配便受けユニット２Ａ、２Ｂの寸法の差から生じる空間に上記収納ボックスを配設して一体的に組み合わせてなる郵便および宅配便受けセット。【選択図】図２
2004248742.tif 000002
【特許請求の範囲】
【請求項１】
集合住宅の共同玄関に設置され、複数の郵便受けからなる郵便受けユニットと複数の宅配便受けからなる宅配便受けユニットと収納ボックスとからなる受けセットであって、上記郵便受けユニットと宅配便受けユニットの寸法の差から生じる空間に上記収納ボックスを配設して一体的に組み合わせてなる郵便および宅配便受けセット。
【請求項２】
上記収納ボックスが上記郵便受けユニットと同じ奥行きを有する横長収納ボックスである請求項１に記載の郵便および宅配便受けセット。
【請求項３】
上記収納ボックスが上記郵便受けユニットと同じ奥行きを有する縦長収納ボックスである請求項１に記載の郵便および宅配便受けセット。
【請求項４】
上記収納ボックスが上記郵便受けユニットと同じ奥行きを有する横長収納ボックスおよび縦長収納ボックスである請求項１に記載の郵便および宅配便受けセット。
【請求項５】
上記収納ボックスが上記郵便受けユニットの角部における不使用の郵便受けを転用した角部収納ボックスである請求項１に記載の郵便および宅配便受けセット。
【発明の詳細な説明】
【０００１】
【発明の属する技術分野】
本発明は、マンション等、集合住宅の共同玄関に設置される郵便および宅配便受けセットに関する。さらに詳しくは、複数の郵便受けからなる郵便受けユニットと、複数の宅配便受けからなる宅配便受けユニットとを含む受けセットに関する。
【０００２】
【従来の技術】
従来、集合住宅の共同玄関に設置され、各戸用のメイルボックスと共同利用の宅配便ボックスからなる装置は公知であり（特許文献１）、また、複数の郵便受けからなる郵便受けユニットも公知である。
【０００３】
【特許文献１】
特開平１０−９９１８５号公報（第１−２頁、第１図）
【０００４】
【発明が解決しようとする課題】
近年、宅配便の普及とともに、不在時にも荷物の受け取りが可能とされた宅配便受けが実用に供されている。上記特許文献１に記載の技術は、マンション等、集合住宅においては、各戸ごとに宅配便受けを設けたのでは、設置スペースを確保できないことが多いため、各戸ごとのメイルボックスと共同利用型の宅配便ボックスを提案しているものである。上記技術においては、メイルボックスと共同利用型の宅配便ボックスのモジュールが同一とされているため、一体的に形成され、すっきりとした外観を呈している。
【０００５】
一方、マンション等、集合住宅においては、その戸数や、設置スペースの仕様が多様であるため、図６の従来例Ｃに示すように、複数の郵便受け１１からなる郵便受けユニット１Ｃと、複数の普通サイズの宅配便受け２１および大型サイズの宅配便受け２２からなる宅配便受けユニット２Ｃとを組み合わせて用いるのが一般的である。しかしながら、この場合は、郵便受けのモジュールｍ１と宅配便受けのモジュールｍ２が異なるため、図６に示すように、一体感がなく、納まりが悪いという問題がある。本発明はこのような問題を解決するためになされたものであって、寸法の異なる郵便受けユニットと宅配便受けユニットとを一体的に組み合わせ、外観が優れるとともに、集合住宅の共同玄関に適した受けセットを提供することをその課題とする。
【０００６】
【課題を解決するための手段】
本発明は、上記課題を解決するために考え出されたものであって、つぎのような技術的手段を講じている。すなわち、本発明によれば、集合住宅の共同玄関に設置され、複数の郵便受けからなる郵便受けユニットと複数の宅配便受けからなる宅配便受けユニットと収納ボックスとからなる受けセットであって、上記郵便受けユニットと宅配便受けユニットの寸法の差から生じる空間に上記収納ボックスを配設して一体的に組み合わせてなる郵便および宅配便受けセットが提供される。このようにすることにより、寸法の異なる郵便受けユニットと宅配便受けユニットとが受けセットとして一体的となるため、外観に優れたものとなり、集合住宅の共同玄関に違和感なく設置することができる。
【０００７】
上記収納ボックスは、上記郵便受けユニットと同じ奥行きを有する横長収納ボックスとすることが好ましい。通常、宅配便受けユニットは、普通サイズの宅配便受けと、大型サイズの宅配便受けとから構成されているため、上記大型サイズの宅配便受けと同一の高さとなるように、上記横長収納ボックスによって郵便受けユニットを嵩上げする。このようにすることにより、寸法の異なる郵便受けユニットと宅配便受けユニットとの高さを揃えて一体的とし、外観を向上させるとともに、この横長収納ボックスを長尺物の収納場所として利用することができる。
【０００８】
上記収納ボックスは、上記郵便受けユニットと同じ奥行きを有する縦長収納ボックスとすることが好ましい。例えば、複数の普通サイズの宅配便受けの上部に郵便受けユニットを載置し、端部に空間が生じたときは、縦長収納ボックスを嵌め込んで、横幅を揃えて一体的とすることができる。このようにすることにより、外観を向上させるとともに、この縦長収納ボックスを中型物の収納場所として利用することができる。
【０００９】
上記収納ボックスを上記郵便受けユニットと同じ奥行きを有する横長収納ボックスおよび縦長収納ボックスとすることができる。このようにすることにより、上記横長収納ボックスによって郵便受けユニットを嵩上げし、寸法の異なる郵便受けユニットと宅配便受けユニットの高さを揃えて一体的とするとともに、郵便受けユニットと宅配便受けユニットの横幅の差により生じた端部空間に縦長収納ボックスを嵌め込んで横幅を揃え、外観を向上させることができる。
【００１０】
上記収納ボックスが上記郵便受けユニットの角部における不使用の郵便受けを転用した角部収納ボックスとされる。このようにすることにより、この角部収納ボックスを小物類の収納場所として有効に利用できる。
【００１１】
【発明の実施の形態】
以下、本発明の好ましい実施の形態について、図面を参照して、さらに詳細に説明する。図１は、本発明にかかる郵便および宅配便受けセットを戸数２４戸のマンションの共同玄関に設置した、実施形態Ａを示す斜視図である。図１において、上記郵便および宅配便受けセットＡは、縦に４個、横に６個、合計２４個の郵便受け１１からなる郵便受けユニット１Ａと、普通サイズの宅配便受け２１、５個と、大型サイズの宅配便受け２２、１個とからなる宅配便ユニット２Ａとを含んで構成される。
【００１２】
図１からよくわかるように、郵便受け１１のモジュールはｍ１とされ、普通サイズの宅配便受け２１のモジュールはｍ２とされているが、郵便受けユニット１Ａの横幅Ｍ１（ｍ１×６）と、５個の普通サイズの宅配便受けの横幅Ｍ２（ｍ２×５）とは、この組み合わせでは、ほぼ、等しくなる。しかし、大型サイズの宅配便受け２２の背が高いため、上記郵便受けユニット１Ａと同じ奥行きを有する横長収納ボックス３で嵩上げする。このようにすることにより、寸法の異なる郵便受けユニット１Ａと宅配便受けユニット２Ａの高さを揃えて一体的にすることができるとともに、この横長収納ボックス３を、図３に示すように、長尺物、例えば、小型ハシゴの収納場所として利用することができる。
【００１３】
図２は、本発明にかかる郵便および宅配便受けセットを戸数１５戸のマンションの共同玄関に設置した、実施形態Ｂを示す斜視図である。図２において、上記郵便および宅配便受けセットＢは、縦に４個、横に４個、合計１６個の郵便受け１１からなる郵便受けユニット１Ｂと、普通サイズの宅配便受け２１、４個と、大型サイズの宅配便受け２２、１個とからなる宅配便ユニット２Ｂとを含んで構成される。
【００１４】
図２からよくわかるように、郵便受け１１のモジュールはｍ１とされ、普通サイズの宅配便受け２１のモジュールはｍ２とされているが、郵便受けユニット１Ｂの横幅Ｍ３（ｍ１×４）と、４個の宅配便ユニットの横幅Ｍ４（ｍ２×４）との間には（Ｍ４−Ｍ３）の差があるため端部に空間が生じる。また、大型サイズの宅配便受け２２の背が高いため、郵便受けユニット１Ｂと、宅配便ユニット２Ｂの高さが不揃いとなり、上記郵便受けユニット１Ｂと同じ奥行きを有する横長収納ボックス３で嵩上げするとともに、図４に示す縦長収納ボックス４を、幅が（Ｍ４−Ｍ３）とされた端部空間に嵌め込む。
【００１５】
このようにすることにより、寸法の異なる郵便受けユニット１Ｂと宅配便受けユニット２Ｂの高さを揃えて一体的にするとともに、この横長収納ボックス３を、長尺物、例えば、小型ハシゴの収納場所として利用することができ、また、縦長収納ボックス４を、共同玄関掃除用のホウキ、チリトリ等の中型物の収納場所として利用できる。また、本実施形態においては、郵便受けユニット１Ｂの下角部に位置する使用されない郵便受けを角部収納ボックス５とする。この図５に示す角部収納ボックス５は、雑巾、洗剤、タワシ等の小物類の収納場所として利用できる。
【００１６】
このように、本発明にかかる郵便および宅配便受けセットは、郵便受けユニットと宅配便受けユニットとを受けセットとして一体的に組み合わせて構成するため、外観の優れたものとなり、また、郵便受けと宅配便受けのモジュールの差によって生じる隙間や空間を収納スペースとして有効に利用できる。したがって、集合住宅の戸数に応じて、組み合わせを変更し、種々の集合住宅の共同玄関に違和感なく設置することができる。
【００１７】
【発明の効果】
以上述べたように、請求項１に記載の発明は、集合住宅の共同玄関に設置され、複数の郵便受け１１からなる郵便受けユニット１Ａ、１Ｂと複数の宅配便受けからなる宅配便受けユニット２Ａ、２Ｂと収納ボックスとからなる受けセットであって、上記郵便受けユニット１Ａ、１Ｂと宅配便受けユニット２Ａ、２Ｂの寸法の差から生じる空間に上記収納ボックスを配設して一体的に組み合わせてなる郵便および宅配便受けセットＡ、Ｂである。このようにすることにより、寸法の異なる郵便受けユニット１Ａ、１Ｂと宅配便受けユニット２Ａ、２Ｂとが受けセットとして一体的となるため、外観に優れたものとなり、集合住宅の共同玄関に違和感なく設置することができる。
【００１８】
請求項２に記載の発明は、上記収納ボックスが、上記郵便受けユニット１Ａと同じ奥行きを有する横長収納ボックス３とされる。通常、宅配便受けユニットは、普通サイズの宅配便受け２１と、大型サイズの宅配便受け２２から構成されているため、上記大型サイズの宅配便受け２２と同一の高さとするように、横長収納ボックス３によって上記郵便受けユニット１Ａを嵩上げする。このようにすることにより、請求項１に記載の発明の効果に加えて、寸法の異なる郵便受けユニット１Ａと宅配便受けユニット２Ａとの高さを揃えて一体的とし、外観を向上させるとともに、この横長収納ボックス３を長尺物の収納場所として利用することができる。
【００１９】
請求項３に記載の発明は、上記収納ボックスが、上記郵便受けユニット１Ｂと同じ奥行きを有する縦長収納ボックス４とされる。例えば、複数の普通サイズの宅配便受け２１の上部に郵便受けユニット１Ｂを載置し、端部に空間が生じたときは、縦長収納ボックス４を嵌め込んで、横幅を揃えて一体的にすることができる。このようにすることにより、請求項１に記載の発明の効果に加えて、外観を向上させるとともに、この縦長収納ボックス４を中型物の収納場所として利用することができる。
【００２０】
請求項４に記載の発明は、上記収納ボックスが上記郵便受けユニット１Ｂと同じ奥行きを有する横長収納ボックス３および縦長収納ボックス４とされる。このようにすることにより、請求項１に記載の発明の効果に加えて、横長収納ボックス３によって上記郵便受けユニット１Ｂを嵩上げし、寸法の異なる郵便受けユニット１Ｂと宅配便受けユニット２Ｂの高さを揃えて一体的とするとともに、郵便受けユニット１Ｂと宅配便受けユニット２Ｂの横幅の差により生じた端部空間に縦長収納ボックス４を嵌め込んで外観を向上させることができる。
【００２１】
請求項５に記載の発明は、上記収納ボックスが上記郵便受けユニット１Ｂの角部における不使用の郵便受け１１を転用した角部収納ボックス５とされる。このようにすることにより、請求項１に記載の発明の効果に加えて、この角部収納ボックス５を小物類の収納場所として有効に利用できる。
【図面の簡単な説明】
【図１】本発明にかかる郵便および宅配便受けセットの実施形態Ａを示す斜視図である。
【図２】本発明にかかる郵便および宅配便受けセットの実施形態Ｂを示す斜視図である。
【図３】横長収納ボックスを示す斜視図である。
【図４】縦長収納ボックスを示す斜視図である。
【図５】角部収納ボックスを示す斜視図である。
【図６】従来の郵便受けユニットと宅配便受けユニットとの組み合わせを示す斜視図である。
【符号の説明】
Ａ            実施形態Ａ
１Ａ          実施形態Ａにおける郵便受けユニット
２Ａ          実施形態Ａにおける宅配便受けユニット
Ｂ            実施形態Ｂ
１Ｂ          実施形態Ｂにおける郵便受けユニット
２Ｂ          実施形態Ｂにおける宅配便受けユニット
１１          郵便受け
２１          普通サイズ宅配便受け
２２          大型サイズ宅配便受け
３            横長収納ボックス
４            縦長収納ボックス
５            角部収納ボックス
Ｃ            従来例
１Ｃ          従来例における郵便受けユニット
２Ｃ          従来例における宅配便受けユニット
【図１】
2004248742.tif 000003
【図２】
2004248742.tif 000004
【図３】
2004248742.tif 000005
【図４】
2004248742.tif 000006
【図５】
2004248742.tif 000007
【図６】
2004248742.tif 000008